(57)【要約】【課題】清掃が容易で、清掃回数を低減する。【解決手段】無端状フィルタ１２１は、吸込グリル３０の下面側から吸い込んだ空気中の塵埃を捕集するとともに、フィルタチャンバ２０内に配置された掃除機構５０により吸込グリル３０の下面に沿って、所定の送り方向にフィルタ面が送られるので、無端状フィルタ１２１における実効的にフィルタリングを行うフィルタ面を順次変更することができ、無端状フィルタを万遍なく用いることができるとともに、フィルタチャンバ内への塵埃の侵入を低減する。【選択図】図３
2010078231.tif 000002
【特許請求の範囲】
【請求項１】
熱交換器及び送風機を有する本体ユニットと、この本体ユニットの下方に配置される化粧パネルとを備えた空気調和装置において、
前記化粧パネルの吸込グリルを通じて吸い込んだ空気中の塵埃を捕集する固定フィルタを有し、前記本体ユニットと前記化粧パネルとの間に設けられたフィルタチャンバと、
前記フィルタチャンバ内に配置されたフィルタ搬送部と、
前記吸込グリルの下面側から吸い込んだ空気中の塵埃を捕集するとともに、前記フィルタ搬送部により前記吸込グリルの下面に沿って、所定の送り方向にフィルタ面が送られる無端状フィルタと、
を備えたことを特徴とする空気調和装置。
【請求項２】
請求項１記載の空気調和装置において、
前記フィルタ搬送部は、係合部材を所定の送り方向に沿って往復動作させる往復動作部を有し、
前記無端状フィルタは、前記係合部材が前記送り方向に移動している場合に当該係合部材に係合される係合受部を有している、
ことを特徴とする空気調和装置。
【請求項３】
請求項２記載の空気調和装置において、
前記無端状フィルタは、前記吸込グリルを構成するフィルタ装着部の下面及び上面を覆うように巻回され、
前記係合受部材は、前記無端状フィルタの表面に前記送り方向に沿って複数設けられ、前記係合部材が前記所定の送り方向に動作している場合に前記係合部材と係合可能とされ、かつ、前記係合部材が前記送り方向とは逆方向に動作している場合に前記係合部材との係合解除可能とされている、
ことを特徴とする空気調和装置。
【請求項４】
請求項３記載の空気調和装置において、
前記フィルタ装着部は、前記無端状フィルタと一体に前記吸込グリルに着脱自在に設けられていることを特徴とする空気調和装置。
【請求項５】
請求項２ないし請求項４のいずれかに記載の空気調和装置において、
前記往復動作部は、前記往復動作を行いつつ、前記固定フィルタに付着した塵埃を除去する塵埃除去部を備えたことを特徴とする空気調和装置。
【請求項６】
請求項５記載の空気調和装置において、
前記吸込グリルは、前記塵埃除去部により除去された塵埃が当該塵埃除去部から移されて集積されるダストボックスを備え、
前記空気調和装置は、前記ダストボックスを、前記固定フィルタ及び塵埃除去部に対して昇降可能に支持する昇降部を備えることを特徴とする空気調和装置。
【発明の詳細な説明】
【技術分野】
【０００１】
本発明は、吸込グリルから吸い込んだ空気中の塵埃を捕集するエアフィルタを備えた空気調和装置に関する。
【背景技術】
【０００２】
従来、熱交換器及び送風機を有する本体ユニットと、この本体ユニットの下方に配置される化粧パネルとを備えた空気調和装置が知られている。この種の空気調和装置では、化粧パネルの吸込グリルにエアフィルタを備え、このエアフィルタによって吸込グリルから吸い込んだ空気中に含まれる塵埃を捕集している。このため、エアフィルタには上記塵埃が捕集されて蓄積されるので、空気調和装置の累積運転時間が長くなると、エアフィルタが目詰まりを起こし、通気抵抗の増加に伴って空気調和装置の運転効率が低下する。
これを解消するために、エアフィルタが配置された吸込グリルを昇降可能とするとともに、エアフィルタに付着した塵埃を除去する回転ブラシと、この回転ブラシで除去した塵埃を捕集するダストボックスと、このダストボックス及び回転ブラシをエアフィルタに沿って移動させるガイドレール及び駆動モータと、を吸込グリル上に設けたものが提案されている（例えば、特許文献１参照）。
【特許文献１】特開２００７−４０６８９号公報
【発明の開示】
【発明が解決しようとする課題】
【０００３】
ところで、上述した空気調和装置を業務用の厨房などに設置した場合には、吸い込んだ空気中に含まれる塵埃には、油分が多く含まれているため、エアフィルタに付着した塵埃の除去が容易でなく、エアフィルタの寿命が短くなってしまうとともに、吸込グリル表面やエアチャンバ内に油分が付着してしまい、清掃が困難であり、清掃回数を増加させざるを得ないという問題点があった。
そこで、本発明の目的は、清掃が容易で、清掃回数を低減することが可能な空気調和装置を提供することにある。
【課題を解決するための手段】
【０００４】
上記課題を解決するため、本発明の第１態様は、熱交換器及び送風機を有する本体ユニットと、この本体ユニットの下方に配置される化粧パネルとを備えた空気調和装置において、前記化粧パネルの吸込グリルを通じて吸い込んだ空気中の塵埃を捕集する固定フィルタを有し、前記本体ユニットと前記化粧パネルとの間に設けられたフィルタチャンバと、前記フィルタチャンバ内に配置されたフィルタ搬送部と、前記吸込グリルの下面側から吸い込んだ空気中の塵埃を捕集するとともに、前記フィルタ搬送部により前記吸込グリルの下面に沿って、所定の送り方向にフィルタ面が送られる無端状フィルタと、を備えたことを特徴とする。
上記構成によれば、無端状フィルタは、吸込グリルの下面側から吸い込んだ空気中の塵埃を捕集するとともに、フィルタチャンバ内に配置されたフィルタ搬送部により吸込グリルの下面に沿って、所定の送り方向にフィルタ面が送られるので、無端状フィルタにおける実効的にフィルタリングを行うフィルタ面を順次変更することが可能となる。この結果、フィルタチャンバ内に侵入する塵埃を低減して、フィルタチャンバ内、特に固定フィルタの清掃回数を低減しつつ、無端状フィルタを全域にわたって万遍なく用いることができ、フィルタの寿命を延ばすことができるとともに、全体として空調効率の低下を抑制することができる。
【０００５】
本発明の第２態様は第１態様において、前記フィルタ搬送部は、係合部材を所定の送り方向に沿って往復動作させる往復動作部を有し、前記無端状フィルタは、前記係合部材が前記送り方向に移動している場合に当該係合部材に係合される係合受部を有している、ことを特徴とする。
上記構成によれば、無端状フィルタは、係合部材が前記送り方向に移動している場合に係合受け部が係合部材に係合され、送り方向にフィルタ面が送られる。
したがって、簡易な構成で、無端状フィルタのフィルタのフィルタ面を送って変更することができる。
【０００６】
本発明の第３態様は、第２態様において、前記無端状フィルタは、前記吸込グリルを構成するフィルタ装着部の下面及び上面を覆うように巻回され、前記係合受部材は、前記無端状フィルタの表面に前記送り方向に沿って複数設けられ、前記係合部材が前記所定の送り方向に動作している場合に前記係合部材と係合可能とされ、かつ、前記係合部材が前記送り方向とは逆方向に動作している場合に前記係合部材との係合解除可能とされていることを特徴とする。
上記構成によれば、無端状フィルタは、簡易な機構で、送り方向にのみ送ることができ、確実に実効的なフィルタ面の変更が行える。
【０００７】
本発明の第４態様は、第３態様において、前記フィルタ装着部は、前記無端状フィルタと一体に前記吸込グリルに着脱自在に設けられていることを特徴とする。
上記構成によれば、無端状フィルタの清掃あるいは交換時に取り扱いが容易となり、これらの作業を容易に行うことができる。
【０００８】
本発明の第５態様は、第２態様ないし第４態様のいずれかにおいて、前記往復動作部は、前記往復動作を行いつつ、前記固定フィルタに付着した塵埃を除去する塵埃除去部を備えたことを特徴とする。
上記構成によれば、塵埃除去部が往復動作を行いつつ固定フィルタに付着した塵埃を除去するのと並行して、無端状フィルタの実効的なフィルタ面が変更され、無端状フィルタを万遍なく用いることで、清掃回数および交換回数の低減が図れる。
【０００９】
本発明の第６態様は、第５態様において、前記吸込グリルは、前記塵埃除去部により除去された塵埃が当該塵埃除去部から移されて集積されるダストボックスを備え、前記空気調和装置は、前記ダストボックスを、前記固定フィルタ及び塵埃除去部に対して昇降可能に支持する昇降部を備えることを特徴とする。
上記構成によれば、昇降部により、無端状フィルタ及びダストボックスは、固定フィルタ及び塵埃除去部に対して昇降可能としているので、無端状フィルタ及びダストボックスの清掃並びに無端状フィルタの交換を容易に行うことができる。
【発明の効果】
【００１０】
本発明によれば、無端状フィルタは、吸込グリルの下面側から吸い込んだ空気中の塵埃を捕集するとともに、フィルタ搬送部により、送り方向に送られ、実効的にフィルタリングを行うフィルタ面を順次変更することができるため、フィルタチャンバ内に侵入する塵埃を低減して、フィルタチャンバ内の清掃回数を低減し、無端状フィルタを全域にわたって万遍なく用いて無端状フィルタの寿命を延ばすことができるとともに、全体として空調効率の低下を抑制できる。
【発明を実施するための最良の形態】
【００１１】
以下、本発明の一実施の形態を、図面を参照して説明する。
図１は、本発明の実施の形態に係る天井埋込型空気調和装置１００の斜視図であり、図２は天井埋込型空気調和装置１００の分解斜視図である。また、図３は天井埋込型空気調和装置１００の断面図である。
天井埋込型空気調和装置１００は、図１乃至図３に示すように、箱形に形成された板金製の本体ユニット１を有し、この本体ユニット１と、フィルタチャンバ２０と、化粧パネル２１とが三段に重ねられて構成されている。
本体ユニット１の外側面には、図１に示すように、複数の吊り金具１Ｂが設けられており、各々の吊り金具１Ｂには、図３に示すように、天井面１１０に固定された吊下ボルト２がナット４（図１）によって固定され、これらの吊下ボルト２を介して、天井埋込型空気調和装置１００は天井面１１０から吊り下げ設置される。この場合、天井埋込型空気調和装置１００の化粧パネル２１は、上記天井面１１０の下方に天井裏空間１１１を介して設けられる天井板１１２に配置されて被調和室に露出している。
【００１２】
図３に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、上面視で五角形に成形されたプレートフィン型の熱交換器であり、送風機９を取り囲むように配置される。
【００１３】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和装置１００の制御回路や電源回路等を収容した電装ボックス（図示略）等の各種部品がねじ止めされている。
【００１４】
フィルタチャンバ２０は、ドレンパン１３の直下に重ねて配設されており、フィルタチャンバ２０にはドレンパン１３の吹出開口１５に連通する通風孔２５と、吸込開口１４に連通する矩形状の吸込開口２６とが形成されている。吸込開口２６は、この吸込開口２６の四辺に沿って形成される枠部２６Ａを備え、この枠部２６Ａには、図１及び図２に示すように、当該吸込開口２６を通じて本体ユニット１に流入する被調和室内の空気中に含まれる塵埃を捕集するエアフィルタ４０が嵌め込まれている。このエアフィルタ４０は、網目状に形成されるフィルタ素材４１と、このフィルタ素材４１を支持する格子状に形成されたフィルタ支持枠４２とを備え、これらフィルタ素材４１とフィルタ支持枠４２とが一体に形成されている。
本構成では、フィルタチャンバ２０は、エアフィルタ４０の風上側、すなわちエアフィルタ４０の下面（捕集面）側に、当該エアフィルタ４０に付着した塵埃を自動的に除去する掃除機構（往復動作部）５０を備える。この掃除機構５０は、エアフィルタ４０の下面を、図３に矢印Ｘで示す方向に往復動作可能に構成されており、この往復動作の際に当該エアフィルタ４０に付着した塵埃を除去するとともに、後述する無端状フィルタ１２１（図３参照）における実際にフィルタリングを行うフィルタ面を変更するために所定の送り方向に送るためのものである。この掃除機構５０については後述する。
【００１５】
フィルタチャンバ２０の下面には、被調和室内に露出する化粧パネル２１がねじ（図示略）等により取り付けられている。化粧パネル２１には、被調和室の空気を吸込む吸込口２２と、熱交換器１１を通った調和空気を被調和室に吹き出す吹出口２３とが形成され、この吹出口２３には、風向を変更するためのルーバ２４が設けられている。
吸込口２２はフィルタチャンバ２０の吸込開口２６に連通し、吹出口２３はフィルタチャンバ２０の通風孔２５に連通する位置および形状に形成されている。
【００１６】
また、化粧パネル２１には、吸込口２２に嵌合する吸込グリル３０と、吸込グリル３０を４本の吊紐３６、３７、３８、３９によって昇降自在に支持する昇降ユニット３５とが取り付けられている。本実施形態では、吸込グリル３０と昇降ユニット３５とを備えて昇降部が構成される。
吸込グリル３０の中央には、長方形状の開口１２０が設けられ、通常使用時においては、この開口１２０に無端状フィルタ１２１が巻回されたフィルタ装着ユニット１２２（フィルタ装着部）が嵌め込まれる。無端状フィルタ１２１の側部には、係合受部として機能する断面三角形状の係合受突起１２３が所定のフィルタ送り方向に沿って複数設けられている。
【００１７】
この場合において、係合受突起１２３は、図３中、後述する掃除機構５０の往復動作に伴って、係合部材１３１が矢印Ｘ方向に沿って図面左側方向（フィルタ送り方向）に移動した場合には、係合部材１３１と係合可能となるようにほぼ垂直に形成された垂直係合面１２３Ａと、係合部材１３１が矢印Ｘ方向に沿って図面右側方向（フィルタ送り方向とは逆方向）に移動した場合には、係合部材１３１との係合解除を可能とするために傾斜面として形成された傾斜係合解除面１２３Ｂと、を備えている。
そして、無端状フィルタ１２１及びフィルタ装着ユニット１２２は、室内空気を吸い込む吸込口３１として形成され、吸込グリル３０が吸込口２２に嵌合した状態で、無端状フィルタ１２１及びフィルタ装着ユニット１２２が吸込開口２６に対向する位置に配置されて、吸込口３１が吸込開口２６に連通することとなる。
【００１８】
図４は、無端状フィルタおよびフィルタ装着ユニットの組立説明図である。
図５は、無端状フィルタおよびフィルタ装着ユニットの組立後の側面図である。
図６は、無端状フィルタおよびフィルタ装着ユニットの組立後の正面図である。
無端状フィルタ１２１は、図３に示すように、フィルタ装着ユニット１２２の側方から嵌め込まれることで、フィルタ装着ユニット１２２の下面及び上面を覆うようにフィルタ装着ユニット１２２に巻回される。
フィルタ装着ユニット１２２は、大別すると、フィルタ装着ユニット本体１２５と、フィルタ装着ユニット本体１２５の短辺側に回転可能に支持された一対の回転ローラ１２６Ａ、１２６Ｂと、フィルタ装着ユニット本体１２５の側面の４箇所に形成され、吸込グリル３０の吸込グリル本体３０Ｘに形成された図示しない嵌込部に嵌め込まれてフィルタ装着ユニット本体１２５を固定するための固定用突起部１２７と、を備えている。
【００１９】
昇降ユニット３５は、化粧パネル２１の内側、すなわちフィルタチャンバ２０側の面に、板金製のステー（図示略）を介して取り付けられ、４本の吊紐３６〜３９を繰り出し、或いは巻き戻すことにより、所定の範囲で吸込グリル３０を昇降させる。
吸込グリル３０は、その一辺に２本の吊紐３６、３７が固定され、他辺に２本の吊紐３８、３９が固定されている。昇降ユニット３５は、吊紐３６、３７の繰り出し及び巻き戻しを行う第１機構（図示略）と、吊紐３８、３９の繰り出し及び巻き戻しを行う第２機構（図示略）と、これら第１機構及び第２機構を制御する制御基板（図示略）とを、一つの筐体に収納したものである。
【００２０】
吊紐３６〜３９は、その一端がそれぞれ吸込グリル３０の裏面、すなわち図１中上側の面に固定され、他端は、化粧パネル２１の裏面に設けられたガイド５５，５６によって水平方向に転向され、昇降ユニット３５内に収容される。
上記の第１機構は、吊紐３６、３７が巻き回されるボビン（図示略）、ボビンを回転させるギア（図示略）及びモータ（図示略）を内蔵し、このモータの正転或いは逆転動作によってボビンが正方向または逆方向に回転され、吊紐３６、３７の繰り出し或いは巻き戻しが行われる。同様に、吊紐３８、３９の他端は第２機構が備えるボビン（図示略）に巻き回され、第２機構が有するモータの正転或いは逆転動作がギアを介してボビンに伝達され、ボビンが正方向または逆方向に回転されて、吊紐３８、３９の繰り出し或いは巻き戻しが行われる。
【００２１】
また、吸込グリル３０には、図３に示すように、この吸込グリル３０を化粧パネル２１の吸込口２２に嵌合した際に、上記昇降ユニット３５と対向する一方の辺３０Ａと反対側の他方の辺３０Ｂに沿って、ダストボックス５７が配置されている。このダストボックス５７は、掃除機構５０で除去された塵埃が当該掃除機構５０から移されて集積されるものであり、吸込グリル３０に昇降可能に支持されている。
本構成では、フィルタチャンバ２０にエアフィルタ４０と、このエアフィルタ４０上の塵埃を除去する掃除機構５０とを備え、この掃除機構５０で除去された塵埃が当該掃除機構５０から移されて集積されるダストボックス５７が吸込グリル３０に昇降可能に支持されている。このため、エアフィルタ４０と掃除機構５０とをフィルタチャンバ２０に残した状態で、ダストボックス５７を吸込グリル３０とともに昇降させることができるため、昇降ユニット３５の負荷の軽減を図ることができる。
さらに掃除機構５０には、図７に示すように、無端状フィルタ１２１を所定の送り方向に送るための一対の係合部材１３１が設けられている。
【００２２】
このように構成される天井埋込型空気調和装置１００は、図示しない室外機から供給される冷媒を熱交換器１１に通して、熱交換器１１を蒸発器または凝縮器として機能させ、図３に示すように、送風機９の動作によって吸込口３１から被調和室の室内空気を吸い込み、吸込開口２６、吸込開口１４、及びノズル１７を通して室内空気を熱交換器１１に通して冷却または加熱し、調和空気とする。そして、天井埋込型空気調和装置１００は、送風機９の動作によって、調和空気を吹出開口１５及び通風孔２５を通して吹出口２３から被調和室に吹き出し、被調和室を冷房または暖房する。
【００２３】
次に、掃除機構５０について説明する。
掃除機構５０は、図１に示すように、エアフィルタ４０の全幅に渡って延在する横長のブラシユニット５１と、このブラシユニット５１をエアフィルタ４０の下面で移動可能に支持する一対のガイドレール５２Ｌ，５２Ｒとを備える。これらガイドレール５２Ｌ，５２Ｒは、長尺の角柱状に形成されており、その上面には、当該ガイドレール５２Ｌ，５２Ｒの全長にわたってラックギア（図示略）が形成されている。また、ガイドレール５２Ｌ，５２Ｒは、その両端部がそれぞれフィルタチャンバ２０の枠部２６Ａから垂下されるステー５３，５３に連結されている。
掃除機構５０は、天井埋込型空気調和装置１００の運転が停止している時間に、エアフィルタ４０の下面を往復移動して、このエアフィルタ４０に付着した塵埃を自動的に除去するとともに、無端状フィルタを所定の送り方向に送って、実効的なフィルタ面を変更させるためのものである。天井埋込型空気調和装置１００の運転中には、ブラシユニット５１は、通風を阻害しない待機位置（例えば、昇降ユニット３５の上方）に位置している。
【００２４】
図７は、ブラシユニット５１の外観斜視図であり、図８は、図７の状態から上側ケースを外した状態を示す斜視図である。
ブラシユニット５１は、図４に示すように、一対のガイドレール５２Ｌ，５２Ｒ上に配置されるケース体６１を備え、このケース体６１は、下側ケース６２とこの下側ケース６２に組み合わされる上側ケース６３とから構成される。ケース体６１には、図５に示すように、このケース体６１の全幅に渡って延在する横長の回転ブラシ６４が配置され、図４に示すように、上側ケース６３の上面６３Ａには、当該回転ブラシ６４の外周部がケース体６１の外側に向けて突出する開口部６３Ｂが形成されている。
また、ケース体６１には、このケース体６１の一端側６１Ａに配置されて回転ブラシ６４を回転駆動するブラシ駆動機構６５と、当該ケース体６１の他端側６１Ｂに配置されて当該ケース体６１をガイドレール５２Ｌ，５２Ｒ上で移動させる移動機構６６とが形成されている。
下側ケース６２の下面には、無端状フィルタ１２１の係合受突起１２３に係合する係合部材１３１が設けられている。
【００２５】
ブラシ駆動機構６５は、下側ケース６２にねじ止めされているブラシ駆動モータ７１と、当該下側ケース７２に収容されてブラシ駆動モータ７１の駆動軸に設けられたピニオン（図示略）に噛合う第１変速車７３と、この第１変速車７３と同軸上に設けられる第２変速車７４と、この第２変速車７４に噛合う第３変速車７５と、この第３変速車７５と同軸上に設けられる第４変速車７６とを備え、この第４変速車７６が回転ブラシ６４の一方の軸端部に設けたピニオン７７に噛合っている。これら第１変速車７３〜第４変速車７６は、ブラシ駆動モータ７１の回転数を回転ブラシ６４用の回転数まで減速させる減速車として機能するとともに、回転ブラシ６４の回転方向を規定する。ブラシ駆動モータ７１は、図５中の矢印Ａ方向（反時計周り方向）に回転駆動するように制御され、このブラシ駆動モータ７１の回転が上記第１変速車７３〜第４変速車７６を介することにより、減速されて回転ブラシ６４に伝達されるため、この回転ブラシ６４は、図５中の矢印Ｂ方向（時計周り方向）に回転される。これにより、エアフィルタ４０に付着した塵埃がエアフィルタ４０の回転により掻き落とされ、この掻き落とされた塵埃はケース体６１の内部に捕集される。
【００２６】
移動機構６６は、図８に示すように、下側ケース６２にねじ止めされている移動用モータ８１と、当該下側ケース７２に収容されて移動用モータ８１の駆動軸に設けられたピニオン（図示略）に噛合う第５変速車８２と、この第５変速車８２と同軸上に設けられる第６変速車８３と、この第６変速車８３に噛合う第７変速車８４と、この第７変速車８４と同軸上に設けられる第８変速車８５と、この第８変速車８５に噛合う第９変速車８６と、この第９変速車８６と同軸上に設けられる第１０変速車８７とを備え、この第１０変速車８７が一方のガイドレール５２Ｒのラックギアに噛合うピニオン８８と噛合っている。このピニオン８８には、下側ケース６２の幅方向にわたって設けられる回転軸８９の一端が連結され、この回転軸８９の他端には上記ピニオン８８と同径、同歯数のピニオン９０が連結されている。このピニオン９０は、他方のガイドレール５２Ｌのラックギアに噛合っている。これらラックギア上をピニオン８８，９０が回転することによって、図３に示すように、ブラシユニット５１を、エアフィルタ４０の下面に沿って当該エアフィルタ４０の一端側４０Ａから他端側４０Ｂまで移動させることができる。
第５変速車８２〜第１０変速車８７は、移動用モータ８１の回転数をブラシユニット５１がガイドレール５２Ｌ，５２Ｒ上を移動するのに適した回転数まで減速させる減速車として機能するとともに、ガイドレール５２Ｌ，５２Ｒのラックギアに噛合うピニオン８８，９０の回転方向を規定する。
【００２７】
移動用モータ８１は、図８中の矢印Ｃ方向（時計周り方向）もしくは矢印Ｄ方向（反時計周り方向）に選択的に回転駆動するように制御される。移動用モータ８１を矢印Ｃ方向に駆動させると、この移動用モータ８１の回転は、第５変速車８２〜第１０変速車８７を介して減速されるとともに、同一の回転方向のままピニオン８８、９０に伝達される。これにより、ブラシユニット５１はガイドレール５２Ｌ，５２Ｒ上を矢印Ｘ１方向（所定の送り方向）に移動する。同様に、移動用モータ８１を矢印Ｄ方向に駆動させると、この移動用モータ８１の回転は、第５変速車８２〜第１０変速車８７を介して減速されつつ、同一の回転方向のままピニオン８８、９０に伝達される。これにより、ブラシユニット５１はガイドレール５２Ｌ，５２Ｒ上を矢印Ｘ２方向（所定の送り方向とは逆方向）に移動する。
【００２８】
図９は、係合部材１３１が係合受突起１２３に係合する状態のブラシユニット５１の側面図である。
図１０は、係合部材１３１が係合受突起１２３との係合を解除する状態のブラシユニット５１の側面図である。
図９に示すように、ブラシユニット５１は、回転ブラシ６４の下方に、この回転ブラシ６４で掻き落とした（除去した）塵埃を受けて、この塵埃を一時的に貯める塵埃収容室６７を備える。この塵埃収容室６７は、図１に示すように、ガイドレール５２Ｌ，５２Ｒ間に突出して、下側ケース６２の幅方向にわたって当該下側ケース６２の下面に一体に形成されている。
塵埃収容室６７は、下面に開閉自在な下蓋（底蓋）６８を備え、この下蓋６８は、塵埃収容室６７に溜まった塵埃をダストボックス５７に投下する際に開放される。この下蓋６８は、塵埃収容室６７における昇降ユニット３５側の側面６７Ａの下縁部にヒンジ軸６９を介してヒンジ連結され、通常時には、内部の塵埃が落下しないように閉塞する方向にばね付勢されている。
【００２９】
また、下蓋６８は、ヒンジ軸６９側に延出した延出部６８Ａを備え、この延出部６８Ａには、下方に突出する三角形状の複数の突出片９１が形成されている。これら突出片９１は、塵埃収容室６７の幅方向に所定間隔をあけてほぼ同じ大きさに設けられており、ブラシユニット５１をダストボックス５７上に移動させた場合に、このダストボックス５７と当接し、ばね力に抗って下蓋６８を開放させる機能を有するものである。
さらに下側ケース６２の下面には、係合部材１３１が突設され、無端状フィルタ１２１に対し垂直に配置されている。
係合部材１３１は、下側ケース６２の下面に固定された係合部材ベース１３２と、係合部材ベース１３２に設けられた軸１３２Ａに、図９中、時計回り方向に回動可能に取り付けられた係合部材本体１３３と、係合部材本体１３３を無負荷状態で、図９に示すような垂直状態に保持するための付勢力を与えるために、係合部材ベース１３２および係合部材本体１３３に掛け渡されたコイルばね１３４と、を備えている。
係合部材本体１３３は、図９に示すように、掃除機構５０が矢印Ｘ２方向（所定の送り方向）に移動している場合に、無端状フィルタ１２１の係合受突起１２３の垂直係合面１２３Ａに当接し、係合した状態を保持する係合面１３５を備えている。これにより、無端状フィルタ１２１は、係合部材１３１の動きに伴って、矢印Ｘ２方向に送られることとなる。
【００３０】
また、係合部材本体１３３は、図１０に示すように、掃除機構５０が矢印Ｘ１方向（所定の送り方向とは逆方向）に移動している場合に、無端状フィルタ１２１の係合受突起１２３の傾斜係合解除面１２３Ｂに摺動可能に当接し、コイルばね１３４の付勢力に抗して、係合部材本体１３３を時計回り方向に回動させつつ、傾斜係合解除面１２３Ｂを乗り越えるための摺動面１３６と、を備えている。これにより、無端状フィルタ１２１は、その位置を変えることなく同じ場所にとどまることとなる。
すなわち、１回の掃除機構５０の往復動作で、往路の移動距離相当だけ、無端状フィルタ１２１が送られることとなる。
【００３１】
図１１は、ブラシユニット５１とダストボックス５７とを示す側断面図であり、図１２は、ブラシユニット５１がダストボックス５７上に移動した状態を示す側断面図である。これら図１１、図１２では変速車等の記載を省略している。
ダストボックス５７は、ダストボックス５７は、吸込グリル３０に着脱自在に支持されるとともに、図１１に示すように、上面が開放されて箱状に形成された箱本体９２と、この箱本体９２の上面を開閉自在な上蓋９３とを備える。この上蓋９３は、図８に示すように、ブラシユニット５１がダストボックス５７上に移動した際に開放されて、ブラシユニット５１の塵埃収容室６７から投下された塵埃を受ける。
上蓋９３は、箱本体９２における吸込グリル３０の他方の辺３０Ｂ側に位置する側面９２Ａの上縁部にヒンジ軸９４を介してヒンジ連結されている。また、箱本体９２の上記側面９２Ａに対向する側面９２Ｂの上縁部には、上蓋９３の上部に延在するストッパ部９２Ｂ１が形成されている。このストッパ部９２Ｂ１は、上蓋９３に当接し、この上蓋９３が箱本体９２の外側に開放することを規制するものである。また、ヒンジ軸９４には、ばね部材９５は設けられ、通常時、すなわちブラシユニット５１がダストボックス５７から離間した際に、このダストボックス５７の内部の塵埃が風で吹き上げられないように上蓋９３を閉塞する方向にばね付勢されている。
また、上蓋９３は、上方に突出する三角形状の複数の突出片９６が形成されている。これら突出片９６は、ダストボックス５７の幅方向に所定間隔をあけてほぼ同じ大きさに設けられており、ブラシユニット５１をダストボックス５７上に移動させた場合に、ブラシユニット５１の塵埃収容室６７と当接し、ばね力に抗って上蓋９３を開放させる機能を有する。
【００３２】
次に、動作について説明する。
深夜時間帯等、天井埋込型空気調和装置１００の運転が停止している場合に、上記した掃除機構５０が動作され、固定フィルタとしてのエアフィルタ４０の清掃および無端状フィルタの送り（フィルタ面の変更）がなされる。
具体的には、掃除機構５０の移動用モータ８１を動作させると、この移動用モータ８１の回転が複数の変速車を介して、ピニオン８８，９０に伝達され、このピニオン８８，９０の回転によって、ブラシユニット５１がガイドレール５２Ｌ，５２Ｒ上を往復移動する。
この結果、掃除機構５０が待機位置から矢印Ｘ２方向（所定の送り方向）に移動を開始すると、係合部材本体１３３は、矢印Ｘ２方向に位置する複数の係合受突起１２３のうち、最も手前に位置するいずれかの係合受突起１２３の垂直係合面１２３Ａに当接する。
さらに係合部材１３１は、そのままの状態を維持したまま、無端状フィルタ１２１を矢印Ｘ２方向に送ることとなる。
【００３３】
これと並行して、ブラシ駆動モータ７１が動作されると、図１１に示すように、このブラシ駆動モータ７１の回転が複数の変速車を介して、回転ブラシ６４に伝達され、当該回転ブラシ６４が図中矢印Ｂ方向に回転する。この回転ブラシ６４の回転により、エアフィルタ４０に付着した塵埃２００は回転ブラシ６４に掻き落とされ、この回転ブラシ６４に付着する。ケース体６１には、回転ブラシ６４の下方に当該回転ブラシ６４の全幅に渡って延在する塵埃剥離板５８が取り付けられている。この塵埃剥離板５８は、その先端を回転ブラシ６４の外周面にほぼ沿う方向に屈曲して当該回転ブラシ６４に接触する爪部を有し、回転ブラシ６４が回転した場合に、この回転ブラシ６４と上記爪部とが接触して、回転ブラシ６４に付着した塵埃２００を剥離して塵埃収容室６７に収容させる。
この塵埃収容室６７に収容された塵埃２００は、塵埃収容室６７（ブラシユニット５１）がダストボックス５７上に移動した際に、このダストボックス５７内に投下される。具体的には、ブラシユニット５１がダストボックス５７上に移動する際に、ダストボックス５７の上蓋９３に形成された突出片９６と、ブラシユニット５１の塵埃収容室６７とが当接する。この突出片９６は、ブラシユニット５１に向けて下方に延びる斜辺部を備えているため、この斜辺部と塵埃収容室６７とが当接した状態で、この塵埃収容室６７がダストボックス５７側に移動すると、この移動動作に伴って突出片９６が押され、上蓋９３はヒンジ軸９４を中心に箱本体９２の内側に開放される。
【００３４】
一方、ブラシユニット５１の塵埃収容室６７の下蓋６８は、この下蓋６８の延出部６８Ａに形成された突出片９１がダストボックス５７の箱本体９２に当接する。この突出片９１は、ダストボックス５７に向けて上方に延びる斜辺部を備えているため、この斜辺部とダストボックス５７の箱本体９２とが当接した状態で、この塵埃収容室６７がダストボックス５７側に移動すると、この移動動作に伴って突出片９１が押され、下蓋６８はヒンジ軸９４を中心に塵埃収容室６７の外側に開放される。これにより、塵埃収容室６７内の塵埃２００は、ダストボックス５７の上蓋９３の上面を経由して当該ダストボックス５７の箱本体９２内に投下される。
そして、掃除機構５０の移動用モータ８１は、駆動を停止し、今度は矢印Ｘ１方向に移動するように駆動される。
これにより、掃除機構５０が待機位置から矢印Ｘ１方向（所定の送り方向とは逆方向）に移動を開始すると、係合部材本体１３３の摺動面１３６は、矢印Ｘ１方向に位置する複数の係合受突起１２３のうち、最も手前に位置するいずれかの係合受突起１２３の傾斜係合解除面１２３Ｂに当接する。
【００３５】
そして、さらに掃除機構５０が矢印Ｘ１方向（所定の送り方向とは逆方向）に移動すると、係合部材本体１３３の摺動面１３６は、無端状フィルタ１２１の係合受突起１２３の傾斜係合解除面１２３Ｂを摺動しつつ登ることとなる。
このとき、係合部材本体１３３は、コイルばね１３４の付勢力に抗して、係合部材本体１３３を時計回り方向に回動させつつ、傾斜係合解除面１２３Ｂを上り、当該係合受突起１２３を乗り越えることとなる。
これにより、係合部材本体１３３は、コイルばね１３４の付勢力により、元の垂直状態に復帰することとなる。
同様にして、係合部材本体１３３は、掃除機構５０が待機位置に至るまで、複数個の係合受突起１２３を乗り越える。
【００３６】
したがって、係合部材本体１３３から無端状フィルタ１２１には、搬送力は伝達されないため、無端状フィルタ１２１は、掃除機構５０が矢印Ｘ２方向に移動し終わった時点における位置を変えることなく同じ場所にとどまり、実際に吸込グリル３０の下面に位置し、フィルタリングを行うフィルタ面の変更がなされることとなる。
この結果、無端状フィルタ１２１全体を万遍なく使用することが可能となり、空調効率を維持しつつ、無端状フィルタ１２１自身およびフィルタチャンバ２０内、ひいては、固定フィルタとして機能するエアフィルタ４０の清掃回数を低減することが可能となる。
【００３７】
無端状フィルタ１２１およびダストボックス５７を予め定めた期間（例えば、３ヶ月）使用したら、図１に示したように、これらの無端状フィルタ１２１およびダストボックス５７を吸込グリル３０とともに下降させる。このとき、無端状フィルタ１２１を巻回しているフィルタ装着ユニット１２２およびダストボックス５７は、吸込グリル３０に着脱自在とされているため、フィルタ装着ユニット１２２を吸込グリル３０から取り外し、無端状フィルタ１２１を抜き取って、新たな無端状フィルタ１２１を取り付けることにより、油分を含む塵埃を容易に廃棄することができる。同様に、ダストボックス５７を吸込グリル３０から取り外して当該ダストボックス５７内の塵埃を容易に廃棄することができる。
【００３８】
以上の説明においては、本実施形態では、天井埋込型空気調和装置１００の運転時間が所定時間（例えば３ヶ月）に至ったら、無端状フィルタ１２１およびダストボックス５７を吸込グリル３０とともに降下させているが、これに限るものではなく、例えば、無端状フィルタ１２１の目詰まりに起因する風量低下を風量センサにより検出して風量が所定風量以下となった場合に吸込グリル３０を降下させたり、ダストボックス５７内に塵埃の量を検出する満量センサを設け、この満量センサが作動した場合に、吸込グリル３０を降下させたりする構成としても良い。
【００３９】
以上、説明したように、本実施形態によれば、無端状フィルタ１２１を往復動作部として機能する掃除機構５０の往復動作に伴う、掃除機構５０と一体に動作する係合部材１３１により、係合部材１３１が無端状フィルタ１２１の送り方向に移動している場合に吸込グリル３０（フィルタ装着ユニット１２２）の下面に沿って、送り方向に送られるようにしているので、万遍なく無端状フィルタ１２１を使用することができ、油分が含まれる塵埃を確実に除去しつつ、清掃の頻度を低減させることができる。
さらに無端状フィルタ１２１は、無端状フィルタ１２１を巻回したフィルタ装着ユニット１２２を昇降可能に支持する吸込グリル３０及び昇降ユニット３５を備えるため、油分が含まれる塵埃を捕集した無端状フィルタ１２１の交換、ひいては、油分を含む塵埃の廃棄を容易に行うことができる。
【００４０】
また、本実施形態によれば、無端状フィルタ１２１は、フィルタ装着ユニット１２２に嵌め込むだけの構成を採っているので、無端状フィルタ１２１の交換作業ひいては捕集した塵埃の廃棄作業を軽減することができる。
以上、本発明の一実施形態について説明したが、本発明はこれに限定されるものではなく、種々の変更実施が可能である。
以上の説明では、係合受突起１２３が床側から視認可能な状態となっていたが、吸込グリル３０の開口１２０の係合受突起１２３に対向する位置にカバーを設けるように構成することも可能である。これにより、デザイン性も向上することとなる。
以上の説明では、無端状フィルタ１２１が巻回されるフィルタ装着ユニット１２２を吸込グリル３０から完全に着脱できる構成としていたが、フィルタ装着ユニット１２２の一側面にヒンジ機構を設け、吸込グリル３０からフィルタ装着ユニット１２２を引き起こして、他側面側から無端状フィルタ１２１の交換などを行うように構成することも可能である。
以上の説明においては、往復動作部として掃除機構５０を利用していたが、フィルタ搬送部（往復動作部）として係合部材１３１を往復させる専用の機構を利用するように構成することも可能である。これにより、より駆動力の小さなモータを用いることが可能となる。
以上の説明においては、係合部材１３１を係合部材ベース１３２、係合部材本体１３３及びコイルばね１３４により構成していたが、係合部材を送り方向に駆動する場合には、撓みにくく、送り方向と逆方向に駆動する場合には撓みやすい可撓性部材で構成するようにすることも可能である。これにより部品点数が少なくなり、製造コストの低減が図れる。
【図面の簡単な説明】
【００４１】
【図１】本発明の実施の形態に係る天井埋込型空気調和装置１００の斜視図である。
【図２】天井埋込型空気調和装置１００の分解斜視図である。
【図３】天井埋込型空気調和装置１００の断面図である。
【図４】無端状フィルタおよびフィルタ装着ユニットの組立説明図である。
【図５】無端状フィルタおよびフィルタ装着ユニットの組立後の側面図である。
【図６】無端状フィルタおよびフィルタ装着ユニットの組立後の正面図である。
【図７】ブラシユニット５１の外観斜視図である。
【図８】図７の状態から上側ケースを外した状態を示す斜視図である。
【図９】係合部材１３１が係合受突起１２３に係合する状態のブラシユニット５１の側面図である。
【図１０】係合部材１３１が係合受突起１２３との係合を解除する状態のブラシユニット５１の側面図である。
【図１１】ブラシユニット５１とダストボックス５７とを示す側断面図である。
【図１２】ブラシユニット５１がダストボックス５７上に移動した状態を示す側断面図である。
【符号の説明】
【００４２】
１  本体ユニット
９  送風機
１１  熱交換器
２０  フィルタチャンバ
２１  化粧パネル
２２  吸込口
２３  吹出口
２４  ルーバ
２６  吸込開口
２６Ａ  枠部
３０  吸込グリル（昇降部）
３５  昇降ユニット（昇降部）
３７  ダストボックス
４０  エアフィルタ（固定フィルタ）
５０  掃除機構（フィルタ搬送部、往復動作部）
８１  移動用モータ（フィルタ搬送部、往復動作部）
１２０  開口
１２１  無端状フィルタ
１２２  フィルタ装着ユニット
１２３  係合受突起（係合受部）
１２３Ａ  垂直係合面
１２３Ｂ  傾斜係合解除面
１２５  フィルタ装着ユニット本体
１２６Ａ、１２６Ｂ  回転ローラ
１２７  固定用突起部
１３１  係合部材
１３２  係合部材ベース
１３２Ａ  軸
１３３  係合部材本体
１３５  係合面
１３６  摺動面
２００  塵埃
【図１】
2010078231.tif 000003
【図２】
2010078231.tif 000004
【図３】
2010078231.tif 000005
【図４】
2010078231.tif 000006
【図５】
2010078231.tif 000007
【図６】
2010078231.tif 000008
【図７】
2010078231.tif 000009
【図８】
2010078231.tif 000010
【図９】
2010078231.tif 000011
【図１０】
2010078231.tif 000012
【図１１】
2010078231.tif 000013
【図１２】
2010078231.tif 000014